(57)【要約】【課題】外壁パネル間の外壁面材の目地幅の調整を容易に行うことができる、外壁パネルの目地幅調整方法、外壁構造及び外壁パネルを提供する。【解決手段】隣り合う外壁パネル１，１の目地側の縁部にそれぞれ設けられた係合部７，７に目地幅調整具３を係合させ、該調整具３により、隣り合う外壁パネル１，１の外壁面材４，４を目地の延びる方向と直交する壁面方向に相対的に変位させることで、外壁面材４，４間の目地幅を調整する。【選択図】      図１
2004300856.tif 000002
【特許請求の範囲】
【請求項１】
隣り合う外壁パネルの目地側の縁部にそれぞれ設けられた係合部に目地幅調整具を係合させ、該調整具により、隣り合う外壁パネルの外壁面材を目地の延びる方向と直交する壁面方向に相対的に変位させることで、外壁面材間の目地幅を調整することを特徴とする外壁パネルの目地幅調整方法。
【請求項２】
前記係合部が外壁パネル縁部の屋外側又は屋内側に面して備えられ、調整具を屋外から操作して外壁面材間の目地幅を調整する請求項１に記載の外壁パネルの目地幅調整方法。
【請求項３】
前記係合部が外壁パネル縁部の屋外側又は屋内側に面して備えられ、調整具を屋内側から操作して外壁面材間の目地幅を調整する請求項１に記載の外壁パネルの目地幅調整方法。
【請求項４】
前記調整具が、目地の延びる方向と直交する屋内外方向にネジ送り可能なネジ送り部分を備え、該ネジ送り部分及び／又は外壁パネルの係合部に備えられた斜面部によって、前記ネジ送り部分のネジ送りで、外壁面材を目地の延びる方向と直交する壁面方向に相対的に変位させて外壁面材間の目地幅を調整する請求項１乃至３のいずれか一に記載の外壁パネルの目地幅調整方法。
【請求項５】
前記調整具のネジ送り部分において、各外壁パネル側の係合部と係合する部分の間隔寸法が一定で、ネジ送り部分をネジ送りすることによって、外壁面材間の目地幅を所定の一定幅に調整する請求項４に記載の外壁パネルの目地幅調整方法。
【請求項６】
前記調整具が、各外壁パネルの係合部と係合する対のラックと、回転操作部を備えたピニオンを備え、各ラックを外壁パネルの係合部と係合させると共に、ピニオンを両ラックに噛合させ、ピニオンを回転させることで外壁面材間の目地幅を調整する請求項１乃至３のいずれか一に記載の外壁パネルの目地幅調整方法。
【請求項７】
隣り合う外壁パネルの目地側の縁部のそれぞれに、目地幅調整具を係合させ、該調整具により、隣り合う外壁パネルの外壁面材を目地の延びる方向と直交する壁面方向に相対的に変位させる係合部が備えられていることを特徴とする外壁構造。
【請求項８】
目地側の縁部に、目地幅調整具を係合させ、該調整具により、隣り合う外壁パネルの外壁面材を目地の延びる方向と直交する壁面方向に相対的に変位させる係合部が備えられていることを特徴とする外壁パネル。
【発明の詳細な説明】
【０００１】
【発明の属する技術分野】
本発明は、外壁パネルの目地幅調整方法、外壁構造及び外壁パネルに関する。
【０００２】
【従来の技術及び課題】
住宅等の建物における外壁パネルの建方において、外壁パネル間の外壁面材の目地幅に不揃いを生じてしまうことがあり、その修正が非常に厄介であるという問題がある。
【０００３】
本発明は、かかる問題点に鑑み、外壁パネル間の外壁面材の目地幅の調整を容易に行うことができる、外壁パネルの目地幅調整方法、外壁構造及び外壁パネルを提供することを課題とする。
【０００４】
【課題を解決するための手段】
上記の課題は、隣り合う外壁パネルの目地側の縁部にそれぞれ設けられた係合部に目地幅調整具を係合させ、該調整具により、隣り合う外壁パネルの外壁面材を目地の延びる方向と直交する壁面方向に相対的に変位させることで、外壁面材間の目地幅を調整することを特徴とする外壁パネルの目地幅調整方法（第１発明）によって解決される。
【０００５】
また、隣り合う外壁パネルの目地側の縁部のそれぞれに、目地幅調整具を係合させ、該調整具により、隣り合う外壁パネルの外壁面材を目地の延びる方向と直交する壁面方向に相対的に変位させる係合部が備えられていることを特徴とする外壁構造（第７発明）によって解決されるし、
目地側の縁部に、目地幅調整具を係合させ、該調整具により、隣り合う外壁パネルの外壁面材を目地の延びる方向と直交する壁面方向に相対的に変位させる係合部が備えられていることを特徴とする外壁パネル（第８発明）によって解決される。
【０００６】
これらの方法、外壁構造及び外壁パネルでは、外壁パネルの目地側の縁部に、上記のような係合部を設けているので、この係合部を利用し、目地幅調整具を係合部に係合させることで、外壁面材間の目地幅の調整を容易に行うことができる。
【０００７】
前記係合部が外壁パネル縁部の屋外側又は屋内側に面して備えられ、調整具を屋外から操作して外壁面材間の目地幅を調整するのもよい（第２発明）。この場合は、調整具を用いて目地幅の調整を行う者が外壁面材間の目地幅を目視確認しながら調整を行っていくことができ、目地幅の調整をその面からも容易に行っていくことができる。
【０００８】
前記係合部が外壁パネル縁部の屋外側又は屋内側に面して備えられ、調整具を屋内側から操作して外壁面材間の目地幅を調整するのもよい（第３発明）。この場合は、屋内側からの操作で、外壁面材間の目地幅を容易に調整することができる。その場合に、前記係合部が外壁パネル縁部の屋内側に面して備えられているときは、外壁面材間の目地幅が狭いような場合であっても、外壁面材間の目地幅の調整を容易に行うことができる。
【０００９】
前記調整具が、目地の延びる方向と直交する屋内外方向にネジ送り可能なネジ送り部分を備え、該ネジ送り部分及び／又は外壁パネルの係合部に備えられた斜面部によって、前記ネジ送り部分のネジ送りで、外壁面材を目地の延びる方向と直交する壁面方向に相対的に変位させて外壁面材間の目地幅を調整するのもよい（第４発明）。この場合は、調整具のネジ送り部分を目地の延びる方向と直交する屋内外方向にネジ送りしていくだけで、外壁面材間の目地幅を変化させることができ、調整を容易に行うことができる。
【００１０】
前記調整具のネジ送り部分において、各外壁パネル側の係合部と係合する部分の間隔寸法が一定で、ネジ送り部分をネジ送りすることによって、外壁面材間の目地幅を所定の一定幅に調整するのもよい（第５発明）。この場合は、調整具のネジ送り部分をネジ送りしていくだけで、外壁面材間の目地幅を所定の一定幅に調整することができ、調整を極めて容易に行うことができる。
【００１１】
特に、第３発明において、第４発明と第５発明の要件を限定要件とする場合には、調整具を用いて目地幅の調整を行う者が外壁面材間の目地幅を目視確認しなくても外壁面材間の目地幅を所定の一定値に調整することができ、目地幅の調整をその面においても容易に行うことができる。
【００１２】
また、前記調整具が、各外壁パネルの係合部と係合する対のラックと、回転操作部を備えたピニオンを備え、各ラックを外壁パネルの係合部と係合させると共に、ピニオンを両ラックに噛合させ、ピニオンを回転させることで外壁面材間の目地幅を調整するのもよい（第６発明）。この場合は、ネジ送りの場合と同様に、ピニオンを目地の延びる方向と直交する屋内外方向から回転させるだけで、外壁面材間の目地幅を変化させることができ、調整を容易に行うことができる。
【００１３】
【発明の実施の形態】
次に、本発明の実施形態を図面に基づいて説明する。
【００１４】
図１に示す第１実施形態において、１，１は外壁パネルであり、２は建物構造部としての柱、３は目地幅調整具である。
【００１５】
各外壁パネル１は、外壁面材４の背面側に下地材５を介してパネルフレーム６が備えられたものからなっていて、パネルフレーム６を柱２に取り付けることにより建物に組み付けられ、この組付け状態において、隣り合う外壁パネル１，１の目地の背後に柱２が存在している。
【００１６】
上記のような外壁構造において、隣り合う外壁パネル１，１の目地側の下地材５，５はそれぞれ外壁面材４，４よりも目地側に突出し、これら下地材突出部５ａ，５ａの屋外側の面部のそれぞれに係合部としての凹所７，７が備えられ、これら凹所７，７内の目地側の側面部７ａ，７ａは屋外側に向けて目地側に傾斜する斜面部に形成されている。
【００１７】
そして、目地幅調整具３は、ナット８、及び、ネジ送り部分としての頭付きボルト９とプレート金具１０とを備え、プレート金具１０の幅方向の両端は屈曲され、そこを、外壁パネル１，１側の凹所７，７と係合する係合部１１，１１とし、この係合部１１，１１に、外壁パネル１，１側の凹所７，７の斜面部７ａ，７ａに対応する斜面部１１ａ，１１ａが設けられている。本実施形態では、このプレート金具１０の使用によって、これに備えられた係合部１１，１１間の間隔寸法が一定に定められている。そして、プレート金具１０の幅方向の中央部に、頭付きボルト９が、その先端側を係合部１１，１１のある面部側へと突出させるように貫通されている。
【００１８】
建方後の外壁パネル１，１の外壁面材４，４間の目地幅が予定よりいくらか大きい場合は、上記の目地幅調整具３を用いて次のようにして目地幅が狭くすることができる。即ち、プレート金具１０を、屋外側から、その係合部１１，１１のある側を屋内側に向けるようにして下地材突出部５ａ，５ａに沿わせると共に、頭付きボルト９の先端側を目地を通じて柱２に通し、そこにナット８を螺合する。
【００１９】
そして、ボルト９の頭部を屋外側から回転させることで、あるいは、ナット８を屋内側から回転させることで、ボルト９を目地内方に向けてネジ送りし、それに追従させてプレート金具１０を下地材突出部５ａの側にネジ送りし、プレート金具１０に備えられている係合部１１，１１を下地材突出部５ａ，５ａの凹所７，７内に突出させて係合させていく。すると、プレート金具１０に備えられた係合部１１，１１の斜面部１１ａ，１１ａが、下地材突出部５ａ，５ａの凹所７，７に備えられた斜面部７ａ，７ａを付勢し、外壁面材４，４が目地幅を小さくしていく方向に相対変位していく。そして、ボルト９やナット８に対してネジ締めを行うことで、外壁面材４，４間の目地幅が所定の一定幅に調整される。
【００２０】
このように、本実施形態では、外壁パネル１，１の下地材突出部５ａ，５ａ，５ａの屋外側の面部に目地幅調整具３を係合させる凹所７，７が備えられているので、この凹所７，７を利用し、目地幅調整具３の係合部１１，１１を凹所７，７に係合させることで、外壁面材４，４間の目地幅の調整を容易に行うことができる。
【００２１】
しかも、調整具３は、凹所７や係合部１１において採用している斜面部７ａ，１１ａの作用で、ボルト９あるいはナット８を回転させていくだけで目地幅を調整することができ、目地幅の調整を容易に行うことができる。
【００２２】
加えて、調整具３のボルト９の頭部を回転させること、即ち屋外側からの操作により、外壁面材４，４間の目地幅を調整することも可能であり、そうすることにより、調整具３を操作する者が外壁面材４，４間の目地幅を目視にて確認しながら調整を行っていくことができ、目地幅の調整をその面からも容易に行っていくことができる。
【００２３】
また、調整具３のナット８を屋内側から操作して外壁面材４，４間の目地幅を調整する場合も、ナット８を回転していくだけで外壁面材４，４間の目地幅を調整することができ、調整を容易に行うことができる。
【００２４】
更に、調整具３のプレート金具１０に備えられている係合部１１，１１間の間隔寸法は一定であり、該プレート金具１０をネジ送りし、ボルト９，ナット８の締付けを行うだけで、外壁面材４，４間の目地幅を所定の一定幅に調整することができ、調整を極めて容易に行うことができる。特に、このような構造の採用により、屋外側からの目地幅の目視確認を行わなくとも、屋内側からのナット８の締込みを行うだけで、外壁面材４，４間の目地幅を所定の一定値に調整することができる。
【００２５】
図２に示す第２実施形態では、目地幅調整具３において、プレート金具に替わるものとして、窯業系等の成形品１０が用いられ、その両端部に斜面部１１ａ付きの係合凸部１１，１１が一体成形されている。その他は第１実施形態と略同様である。
【００２６】
図３に示す第３実施形態では、外壁パネル１，１において、下地材５は外壁面材４から突出せずに外壁面材４と面一ないしは略面一で、下地材５とパネルフレーム６との間に金属プレート１３が介設され、この金属プレート１３が、外壁面材４よりも目地側に突出し、その先端部に屋外側に面する係合凸部７が備えられ、該係合凸部７の反目地側に斜面部７ａが備えられている。目地幅調整具３については、第１実施形態のものと略同じ構造のものを使用している。
【００２７】
図４に示す第４実施形態では、第３実施形態における金属プレート１３において、外壁面材４側に立ち上がる立ち上がり部１３ａが一体成形されており、この立ち上がり部１３ａの先端部に鉤部１３ｂが備えられ、この鉤部１３ｂが外壁面材４を屋外側から押さえるようになされている。その他は第３実施形態と略同じである。
【００２８】
図５に示す第５実施形態では、第４実施形態における金属プレート１３において、下地材５とパネルフレーム６との間のプレート部分が省略されており、金属プレート１３を外壁パネル１の建方後に後付けで取り付けることができるようになされている。その他は第４実施形態と略同じである。
【００２９】
図６に示す第６実施形態では、外壁パネル１において、下地材５は外壁面材４から突出せずに外壁面材４と面一ないしは略面一で、下地材５の屋内側の面部に係合部としての穴７が設けられている。
【００３０】
そして、目地幅調整具３は、先端部が係合部１１でかつ斜面部１１ａとしてコーン状に形成された雄ネジ材１５，１５からなり、該雄ネジ材１５を屋内側から建物構造部としての柱２に螺合し、柱２を反力部として、雄ネジ材１５をネジ送りしていき、その先端コーン部１１を下地材５の穴７に差し込んでいくことにより、先端コーン部１１の斜面１１ａの付勢作用で下地材５ひいては外壁面材４が動かされ、外壁面材４，４の目地幅が調整されるようになされている。
【００３１】
反力部である柱２には、隣り合う一方の外壁パネル１用の雄ネジ材１５と、もう一方の外壁パネル１用の雄ネジ材１５とが螺合されていて、雄ネジ材１５，１５間の間隔寸法は一定に設定されており、これら雄ネジ材１５，１５の各先端部１１，１１の全体が隣り合う外壁面材４，４の穴７，７内に差し込まれることにより、外壁面材４，４間の目地幅が所定の一定幅に調整されるようになされている。本実施形態は、特に、外壁面材４，４間の目地幅が狭いような場合でも、目地幅の調整を容易に行うことができる利点を備えている。
【００３２】
図７に示す第７実施形態は、各外壁パネル１，１の下地材５，５が外壁面材４，４よりも突出し、該下地材突出部５ａ，５ａの屋外側の面部に係合部としての斜面部無しの凹所７，７が設けられている。
【００３３】
そして、目地幅調整具３は、各外壁パネル１の凹所７と係合する凸部１１を備えた対のラック１７，１７と、外周六角部などによる回転操作部１８ａを付けたピニオン１８が備えられている。
【００３４】
目地幅の調整は、各ラック１７，１７の凸部１１，１１をそれぞれ外壁パネル１，１側の凹所７，７に嵌め込んで係合させると共に、ピニオン１８を両ラック１７，１７に噛合し、ピニオン１８を回転させることで行うことができる。この場合も、ネジ送りの場合と同様に、ピニオン１８を目地の延びる方向と直交する屋内外方向から回転させるだけで、外壁面材４，４間の目地幅を変化させることができ、調整を容易に行っていくことができる。
【００３５】
以上に、本発明の実施形態を示したが、本発明はこれに限られるものではなく、発明思想を逸脱しない範囲で各種の変更が可能である。例えば、本発明は、外壁パネル間の縦目地の目地幅調整はもとより、外壁パネル間の横目地の目地幅調整に用いることもできる。また、外壁パネルの目地側の縁部に設けられる係合部の具体的形態に制限はないし、また、目地幅調整具の具体的形態についても制限はなく、各種形態の係合部が備えられていてよいし、各種形態の調整具が用いられてよい。
【００３６】
【発明の効果】
本発明は、以上のとおりのものであるから、外壁パネル間の外壁面材の目地幅の調整を容易に行うことができる。
【図面の簡単な説明】
【図１】第１実施形態の目地幅調整方法等を示すもので、図（イ）は外壁目地部の断面平面図、図（ロ）は図（イ）の要部を拡大した断面平面図である。
【図２】第２実施形態の目地幅調整方法等を示すもので、図（イ）は外壁目地部の断面平面図、図（ロ）は図（イ）の要部を拡大した断面平面図である。
【図３】第３実施形態の目地幅調整方法等を示すもので、図（イ）は外壁目地部の断面平面図、図（ロ）は図（イ）の要部を拡大した断面平面図である。
【図４】第４実施形態の目地幅調整方法等を示すもので、図（イ）は外壁目地部の断面平面図、図（ロ）は図（イ）の要部を拡大した断面平面図である。
【図５】第５実施形態の目地幅調整方法等を示すもので、図（イ）は外壁目地部の断面平面図、図（ロ）は図（イ）の要部を拡大した断面平面図である。
【図６】第６実施形態の目地幅調整方法等を示すもので、図（イ）は外壁目地部の断面平面図、図（ロ）は図（イ）の要部を拡大した断面平面図である。
【図７】第７実施形態の目地幅調整方法等を示すもので、図（イ）は外壁目地部の断面平面図、図（ロ）は図（イ）の要部を拡大した断面平面図である。
【符号の説明】
１…外壁パネル
３…目地幅調整具
４…外壁面材
７…係合部
７ａ…斜面部
１１…係合部
１１ａ…斜面部
１７…ラック
１８…ピニオン
１８ａ…操作部
【図１】
2004300856.tif 000003
【図２】
2004300856.tif 000004
【図３】
2004300856.tif 000005
【図４】
2004300856.tif 000006
【図５】
2004300856.tif 000007
【図６】
2004300856.tif 000008
【図７】
2004300856.tif 000009